【手続補正書】
【提出日】平成16年6月23日(2004.6.23)
【手続補正１】
【補正対象書類名】明細書
【補正対象項目名】発明の名称
【補正方法】変更
【補正の内容】
【発明の名称】カメラシステム
【手続補正２】
【補正対象書類名】明細書
【補正対象項目名】特許請求の範囲
【補正方法】変更
【補正の内容】
【特許請求の範囲】
【請求項１】
ブレを検出し、ブレ検出情報を出力するブレ検出部と、
前記ブレ検出情報に基づいて、ブレ補正量に応じたブレ補正情報を演算する演算部と、
前記ブレ補正情報に基づき撮影光学系の光路を変更するブレ補正光学系と前記ブレ補正光学系を駆動する駆動部とを有する第１のブレ補正部と、
被写体像を画像情報に変換する画像情報変換部と前記ブレ補正情報に基づき被写体像のブレを修復する画像修復部とを有する第２のブレ補正部と、
前記第１のブレ補正部と前記第２のブレ補正部とを制御する制御部とを含み、
前記制御部は、撮影倍率に応じて、前記第１のブレ補正部又は前記第２のブレ補正部を作動させること、
を特徴とするカメラシステム。
【請求項２】
請求項１に記載のカメラシステムにおいて、
前記制御部は、
撮影倍率が所定値以上のときには、前記第２のブレ補正部を作動させ、
撮影倍率が所定値よりも小さいときには、前記第１のブレ補正部を作動させること、
を特徴とするカメラシステム。
【請求項３】
請求項１又は請求項２に記載のカメラシステムにおいて、
前記画像修復部は、前記ブレ検出情報に基づくブレ修正関数により被写体像のブレを修復すること、
を特徴とするカメラシステム。
【手続補正３】
【補正対象書類名】明細書
【補正対象項目名】０００１
【補正方法】変更
【補正の内容】
【０００１】
【発明の属する技術分野】
本発明は、ブレ補正をするブレ補正装置を搭載したカメラシステムに関するものである。
【手続補正４】
【補正対象書類名】明細書
【補正対象項目名】０００５
【補正方法】変更
【補正の内容】
【０００５】
本発明の課題は、平行ブレに対しても、ブレ補正効果を向上させることができるカメラシステムを提供することである。
【手続補正５】
【補正対象書類名】明細書
【補正対象項目名】０００６
【補正方法】変更
【補正の内容】
【０００６】
【課題を解決するための手段】
本発明は、以下のような解決手段により、前記課題を解決する。なお、理解を容易にするためには、本発明の実施形態に対応する符号を付して説明するが、これに限定されるものではない。
すなわち、請求項１の発明は、ブレを検出し、ブレ検出情報を出力するブレ検出部と、前記ブレ検出情報に基づいて、ブレ補正量に応じたブレ補正情報を演算する演算部と、前記ブレ補正情報に基づき撮影光学系の光路を変更するブレ補正光学系と前記ブレ補正光学系を駆動する駆動部とを有する第１のブレ補正部と、被写体像を画像情報に変換する画像情報変換部と前記ブレ補正情報に基づき被写体像のブレを修復する画像修復部とを有する第２のブレ補正部と、前記第１のブレ補正部と前記第２のブレ補正部とを制御する制御部とを含み、前記制御部は、撮影倍率に応じて、前記第１のブレ補正部又は前記第２のブレ補正部を作動させること、を特徴とするカメラシステムである。
【手続補正６】
【補正対象書類名】明細書
【補正対象項目名】０００７
【補正方法】変更
【補正の内容】
【０００７】
請求項２の発明は、請求項１に記載のカメラシステムにおいて、前記制御部は、撮影倍率が所定値以上のときには、前記第２のブレ補正部を作動させ、撮影倍率が所定値よりも小さいときには、前記第１のブレ補正部を作動させること、を特徴とするカメラシステムである。
【手続補正７】
【補正対象書類名】明細書
【補正対象項目名】０００８
【補正方法】変更
【補正の内容】
【０００８】
請求項３の発明は、請求項１又は請求項２に記載のカメラシステムにおいて、前記画像修復部は、前記ブレ検出情報に基づくブレ修正関数により被写体像のブレを修復することを特徴とするカメラシステムである。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００６５
【補正方法】変更
【補正の内容】
【００６５】
【発明の効果】
以上詳しく説明したように、本発明によれば以下のような種々の効果がある。
（１）制御部は、撮影倍率に応じて、第１のブレ補正部を作動する第１の作動部又は第２のブレ補正部を作動する第２の作動部を作動させるので、ブレ補正が困難なときに、第１又は第２の作動部が作動して、ブレ補正効果を向上させることができる。
【手続補正２１】
【補正対象書類名】明細書
【補正対象項目名】００６６
【補正方法】変更
【補正の内容】
【００６６】
（２）制御部は、撮影倍率が所定値以上のときには、第２の作動部を作動させ、撮影倍率が所定値よりも小さいときには、第１の作動部を作動させるので、撮影倍率が所定値よりも小さい場合であって、ブレ補正が可能なときには、第１の作動部を作動させ、撮影倍率が所定値以上であってブレ補正が困難なときには、第１の作動部ではなく第２の作動部を作動させることによって、ブレ補正効果を向上させることができる。
【手続補正２２】
【補正対象書類名】明細書
【補正対象項目名】００６７
【補正方法】変更
【補正の内容】
【００６７】
（３）第１のブレ補正部は、ブレ補正光学系を備え、第２のブレ補正部は、画像情報変換部を備えており、第１の作動部は、このブレ補正光学系を駆動する駆動部を備え、第２の作動部は、被写体像をブレのない画像に修復する画像修復部を備えているので、撮影倍率が所定値よりも小さいときには、ブレ補正光学系によりブレ補正が可能であり、撮影倍率が所定値以上のときには、平行ブレの影響が大きいために、画像修復部によってブレを補正することができる。
【手続補正２３】
【補正対象書類名】明細書
【補正対象項目名】００６８
【補正方法】変更
【補正の内容】
【００６８】
（４）演算部は、ブレ検出部が出力するブレ検出情報に基づいて、ブレ補正量に応じたブレ補正情報を演算し、制御部は、このブレ補正情報に基づいて駆動部を駆動させ、ブレ補正情報及び画像情報に基づいて、画像修復部によって被写体像をブレのない画像に修復させるので、ブレ補正光学系又は画像情報変換部によってブレを補正することができる。
【手続補正２４】
【補正対象書類名】明細書
【補正対象項目名】００６９
【補正方法】変更
【補正の内容】
【００６９】
（５）レンズ側作動部を含む交換レンズに装着可能なカメラボディは、ボディ側ブレ補正部を作動するボディ側作動部と、このボディ側作動部を制御するボディ側制御部とを含み、ボディ側制御部は、撮影倍率に応じて、ボディ側作動部を作動させ又はレンズ側作動部の作動を交換レンズ側に指示するので、ブレ補正が困難なときに、ボディ側作動部又はレンズ側作動部が作動して、ブレ補正効果を向上させることができる。
【手続補正２５】
【補正対象書類名】明細書
【補正対象項目名】００７０
【補正方法】変更
【補正の内容】
【００７０】
（６）制御部は、撮影倍率が所定値以上のときには、ボディ側作動部を作動させ、撮影倍率が所定値よりも小さいときには、レンズ側作動部の作動を交換レンズ側に指示するので、撮影倍率が所定値よりも小さい場合であって、ブレ補正が可能なときには、レンズ側作動部の作動を交換レンズ側に指示し、撮影倍率が所定値以上であってブレ補正が困難なときには、ボディ側作動部を作動させて、ブレ補正効果を向上させることができる。
【手続補正２６】
【補正対象書類名】明細書
【補正対象項目名】００７１
【補正方法】変更
【補正の内容】
【００７１】
（７）ボディ側ブレ補正部は、画像情報変換部を備え、ボディ側作動部は、被写体像をブレのない画像に修復する画像修復部を備えるので、撮影倍率が所定値以上のときには、平行ブレの影響が大きいために、画像修復部によってブレを補正することができる。
【手続補正２７】
【補正対象書類名】明細書
【補正対象項目名】００７２
【補正方法】変更
【補正の内容】
【００７２】
（８）演算部は、ブレ検出部が出力するブレ検出情報に基づいて、ブレ補正量に応じたブレ補正情報を演算し、ボディ側制御部は、このブレ補正情報及び画像情報に基づいて、画像修復部によって被写体像をブレのない画像に修復させる。
（９）演算部は、交換レンズ側から出力されたブレ検出情報に基づいて、ブレ補正量に応じたブレ補正情報を演算し、ボディ側制御部は、このブレ補正情報及び画像情報に基づいて、画像修復部によって被写体像をブレのない画像に修復させる。したがって、撮影倍率が所定値以上のときには、画像修復部によってブレを補正することができる。
【手続補正２８】
【補正対象書類名】明細書
【補正対象項目名】００７３
【補正方法】変更
【補正の内容】
【００７３】
（１０）ボディ側ブレ補正部を作動するボディ側作動部を含むカメラボディに装着可能な交換レンズは、レンズ側ブレ補正部を作動するレンズ側作動部と、このレンズ側作動部を制御するレンズ側制御部とを含み、レンズ側制御部は、撮影倍率に応じて、レンズ側作動部を作動させ又はボディ側作動部の作動をカメラボディ側に指示するので、ブレ補正が困難なときに、レンズ側作動部又はボディ側作動部が作動して、ブレ補正効果を向上させることができる。
【手続補正２９】
【補正対象書類名】明細書
【補正対象項目名】００７４
【補正方法】変更
【補正の内容】
【００７４】
（１１）レンズ側制御部は、撮影倍率が所定値以上のときには、レンズ側作動部を停止させ、撮影倍率が所定値よりも小さいときには、レンズ側作動部を作動させるので、撮影倍率が所定値以上であってブレ補正が困難なときには、レンズ側作動部を停止させて、電力を消費するのを防止することができる。また、撮影倍率が所定値よりも小さい場合であって、ブレ補正が可能なときには、レンズ側作動部を作動させてブレを補正することができる。
【手続補正３０】
【補正対象書類名】明細書
【補正対象項目名】００７５
【補正方法】変更
【補正の内容】
【００７５】
（１２）レンズ側制御部は、撮影倍率が所定値以上のときには、ボディ側作動部の作動をカメラボディ側に指示し、撮影倍率が所定値よりも小さいときには、レンズ側作動部を作動させるので、撮影倍率が所定値以上であってブレ補正が困難なときには、レンズ側作動部ではなくボディ側作動部を作動させることによって、レンズ側作動部が作動して、電力を消費するのを防止することができる。また、撮影倍率が所定値よりも小さい場合であって、ブレ補正が可能なときには、レンズ側作動部を作動させてブレを補正することができる。
【手続補正３１】
【補正対象書類名】明細書
【補正対象項目名】００７６
【補正方法】変更
【補正の内容】
【００７６】
（１３）レンズ側ブレ補正部は、ブレ補正光学系を備え、レンズ側作動部は、このブレ補正光学系を駆動するレンズ側駆動部を備えるので、撮影倍率が小さいときには、平行ブレの影響が少ないために、レンズ側駆動部によってブレ補正光学系を駆動して、ブレを補正することができる。
【手続補正３２】
【補正対象書類名】明細書
【補正対象項目名】００７７
【補正方法】変更
【補正の内容】
【００７７】
（１４）演算部は、ブレ検出部が出力するブレ検出情報に基づいて、ブレ補正量に応じたブレ補正情報を演算し、レンズ側制御部は、このブレ補正情報に基づいて、レンズ側駆動部を駆動させる。
（１５）演算部は、カメラボディ側から出力されたブレ検出情報に基づいて、ブレ補正量に応じたブレ補正情報を演算し、レンズ側制御部は、ブレ補正情報に基づいて、レンズ側駆動部を駆動させる。したがって、撮影倍率が所定値よりも小さいときには、ブレ補正光学系によってブレを補正することができる。